(57)【要約】      （修正有）【課題】圧力測定用のメータである電子式圧力ゲージを提供する。【解決手段】電子式圧力ゲージ２は、ゲージヘッド２１、ゲージ台２２、隔膜２８、連接管体６を備え、ゲージヘッド２１とゲージ台２２とを一体成型し、その接続位置には開口２３を設置し、開口２３中には感知装置３を設置する。また感知装置３は、隔膜２８上方区域の圧力変化を感知でき、これにより圧力数値を数字方式で表示することができる。【選択図】図３
0003173894.tif 000002
【実用新案登録請求の範囲】
【請求項１】
電子式圧力ゲージは、一体成型のゲージヘッドとゲージ台、隔膜、表示装置、連接管体を備え、
前記ゲージヘッドと前記ゲージ台間には開口を設置し、感知装置は前記ゲージヘッド端の開口位置に設置し、
前記隔膜は前記ゲージ台内部に設置し、
前記表示装置は、前記ゲージヘッド内に設置し、前記感知装置と電気的に連接し、
前記連接管体は前記ゲージ台位置に組み付けることを特徴とする電子式圧力ゲージ。
【請求項２】
前記感知装置底部には螺合体を設置し、
前記螺合体は、前記開口を貫通後、ワッシャとナットを設置することを特徴とする請求項１に記載の電子式圧力ゲージ。
【請求項３】
前記表示装置は、ディスプレー、インジケータを備えることを特徴とする請求項１に記載の電子式圧力ゲージ。
【請求項４】
前記ゲージヘッドにはワッシャと固定リングを設置することを特徴とする請求項１に記載の電子式圧力ゲージ。
【請求項５】
前記ゲージヘッドには側開口を開設し、
前記側開口には、信号線を通し、連結することを特徴とする請求項１に記載の電子式圧力ゲージ。
【請求項６】
前記ゲージヘッド内にはパネルを設置することを特徴とする請求項１に記載の電子式圧力ゲージ。
【請求項７】
前記隔膜は前記ゲージ台と前記連接管体との挟圧力により固定されることを特徴とする請求項１に記載の電子式圧力ゲージ。
【考案の詳細な説明】
【技術分野】
【０００１】
本考案は電子式圧力ゲージに関し、特に圧力測定用のメータである電子式圧力ゲージに関する。
【背景技術】
【０００２】
世間には多くの機具或いは設備が存在するが、多くに圧力ゲージが設置されている。
その作用は、圧力を測定し、表示することである。
従来の圧力ゲージは油圧ゲージなどの指針式で、内部には、バーデン管を設置する。
圧力変化を利用し、バーデン管を変形させ、こうして指針の回転を連動し、パネル上に数値を表示する。
【０００３】
図１は、従来の指針式圧力ゲージ1を示す。
その構造は、分離関係を呈するゲージヘッド11とゲージ台12を備え、内部には、隔膜13を配置する。
ゲージヘッド11とゲージ台12は、螺合固定部14により螺合して接続し、しかも空間15内には油脂を注入する必要がある。
これにより、隔膜13下縁が圧力を受け取ると、隔膜13を押す。
こうして、空間15内は圧力を受け、数値を表示する。
【０００４】
しかし、従来の指針式圧力ゲージでは、パネルの目盛りにより数値を判読しなければならないため、しばしば誤読の状況が発生する。
しかも、数値の判読においても、角度の要因により、視覚上の誤差が発生する可能性がある。
さらに、現在では多くの警示設備が電子式接続を採用するが、圧力が高すぎれば、警告信号を電子式に自動発送することができず、システムを統合できないばかりか、安全においても問題である。
すなわち、電子式圧力ゲージは、次世代の主流であることは明らかである。
【０００５】
テクノロジーの進歩により、今ではダイレクトに圧力を測定し、電子圧力信号を発信できるパーツがある。
しかし、上記したパーツを、従来の圧力ゲージに応用しようとしても、従来の構造ではニーズを満たすことはできない。
本考案は、従来の圧力ゲージの上記した欠点に鑑み、圧力ゲージを電子数値方式とするためになされたものである。
【考案の概要】
【考案が解決しようとする課題】
【０００６】
本考案が解決しようとする第一の課題は、圧力数値は電子数字の方式で表示され、人員の数値読み取りに便利で、数値判読の錯誤を回避でき、しかも電子制御警報システムと信号接続でき、システム電子化統合の目的を達成することができる電子式圧力ゲージを提供することである。
本考案が解決しようとする第二の課題は、内部の電子パーツは、外界の空気或いは油脂と隔絶され、電子パーツが侵蝕或いは損傷を受けることを回避でき、正常な作動と使用寿命の延長を確保することができる電子式圧力ゲージを提供することである。
【課題を解決するための手段】
【０００７】
上記課題を解決するため、本考案は下記の電子式圧力ゲージを提供する。
電子式圧力ゲージは、ゲージヘッド、ゲージ台、隔膜、連接管体を備え、
好ましくは、該ゲージヘッドと該ゲージ台とは、一体成型を採用し、
該ゲージヘッドと該ゲージ台との接続位置には、開口を設置し、
該開口のゲージヘッド端には、感知装置を設置し、
該感知装置は、該隔膜上方区域の圧力変化を感知でき、これにより圧力数値を数字方式で表示することができ、
好ましくは、該感知装置底部には、螺合体を設置し、該螺合体内部は、圧力取得の機能をも兼ね備え、これにより該感知装置は圧力を感知することができ、
該螺合体は、該開口を貫通後、局部は該開口外に突出し、ワッシャとナットにより、螺合体を、開口位置に固定することができ、
好ましくは、該ゲージ台下端に、該隔膜を設置後、該連接管体を接続し、
該連接管体は、圧力を測定しようとする機具或いは設備に連接し、
該連接管体端内部に圧力が生じると、該隔膜を押して移動させることができ。
該隔膜は、圧力の大きさに応じて押す程度を決定し、これにより該隔膜反対端空間内の圧力を改変し、これにより、該感知装置は圧力数値を測定することができ、こうして数値を表示し、
好ましくは、該感知装置が測定して得た圧力数値は、該ゲージヘッド内に位置する表示装置上に具体的に表示され、
該表示装置は、ディスプレー、インジケータを備え、
好ましくは、該ゲージヘッドには、ワッシャ、パネルと固定リングを設置し、
好ましくは、該ゲージヘッドには、側開口を開設し、信号線を連結し、
好ましくは、該隔膜は、該ゲージ台と該連接管体との挟圧力により固定される。
【考案の効果】
【０００８】
本考案の電子式圧力ゲージは、電子数字の方式で圧力数値を表示し、人員の数値読み取りに便利で、数値判読の錯誤を回避でき、しかも電子制御警報システムと信号接続でき、システム電子化統合の目的を達成し、また内部の電子パーツは、外界の空気或いは油脂と隔絶され、電子パーツが侵蝕或いは損傷を受けることを回避でき、正常な作動と使用寿命の延長を確保することができる。
【図面の簡単な説明】
【０００９】
【図１】従来の圧力ゲージの構造模式図である。
【図２】本考案の立体分解図である。
【図３】本考案の断面構造模式図である。
【図４】本考案の立体構造外観図である。
【考案を実施するための形態】
【００１０】
以下に図面を参照しながら本考案を実施するための最良の形態について詳細に説明する。
【実施例】
【００１１】
図２、３、４に示すように、本考案電子式圧力ゲージ2は、一体のゲージヘッド21とゲージ台22により構成する。
ゲージヘッド21とゲージ台22との接続位置には、開口23を開設し、ゲージヘッド21側辺には、側開口24を開設する。
【００１２】
開口23、ゲージヘッド21に近い端には、感知装置3を設置する。
感知装置3底部には、螺合体31を設置する。
螺合体31内部は、圧力取得の機能をも兼ね備え、これにより感知装置3は圧力を感知することができる。
螺合体31は、開口23を貫通後、局部は開口23外に突出し、外に突出した螺合体31には、ワッシャ32とナット33を設置する。
これにより、螺合体31を、開口23位置に固定することができる。
【００１３】
ゲージ台22下端には、隔膜28を設置後、連接管体6を接続する。
連接管体6は、圧力を測定しようとする機具或いは設備に連接する。
連接管体6端内部に圧力が生じると、隔膜28を押して移動させることができる。
隔膜28は、圧力の大きさに応じて押す程度を決定し、これにより隔膜28のゲージヘッド21端内部の圧力を改変する。
これにより、感知装置3は圧力数値を測定することができる。
【００１４】
感知装置3が測定して得た圧力数値は、ゲージヘッド21内に位置する表示装置4上に具体的に表示される。
表示装置4は、ディスプレー41、インジケータ42を備える。
表示装置4は、ゲージヘッド21内に設置し、感知装置3と電気的に連接する。
【００１５】
ゲージヘッド21に封をするため、ゲージヘッド21には、ワッシャ25と固定リング27を設置する。
表示装置4には、パネル27を設置する。
【００１６】
ゲージヘッド21の側開口24には、信号線5を連結する。
隔膜28は、ゲージ台22と連接管体6との挟圧力により固定される。
【００１７】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１９】
１    圧力ゲージ
１１  ゲージヘッド
１２  ゲージ台
１３  隔膜
１４  螺合固定部
１５  空間
２    圧力ゲージ
２１  ゲージヘッド
２２  ゲージ台
２３  開口
２４  側開口
２５  ワッシャ
２６  パネル
２７  固定リング
２８  隔膜
３    感知装置
３１  螺合体
３２  ワッシャ
３３  ナット
４    表示装置
４１  ディスプレー
４２  インジケータ
５    信号線
６    連接管体
【図１】
0003173894.tif 000003
【図２】
0003173894.tif 000004
【図３】
0003173894.tif 000005
【図４】
0003173894.tif 000006